(57)【要約】【課題】画像出力装置と画像表示装置の解像度が異なる場合でも画像の閲覧性に優れた画像表示システムを提供する。【解決手段】画像表示システム１は、画像情報を出力する画像出力装置２と、画像出力装置２から出力された画像情報に基づいて画像を表示する画像表示装置３とを備える。画像表示装置３は、画像を表示する表示手段３１と、画像出力装置２から入力した画像情報の解像度を検出する解像度検出手段３２４と、解像度に基づいて、表示手段３１に表示させる画像の表示倍率を設定する倍率設定手段３２１Ａと、表示倍率に基づいて、画像情報に基づく画像の所定領域を拡大した画像を表示手段３１に表示させる表示制御手段３２１Ｄとを備える。【選択図】図２
2013037318.tif 000002
【特許請求の範囲】
【請求項１】
画像情報を出力する画像出力装置と、前記画像出力装置から出力された前記画像情報に基づいて画像を表示する画像表示装置とを備えた画像表示システムであって、
前記画像表示装置は、
画像を表示する表示手段と、
前記画像出力装置から入力した前記画像情報の解像度を検出する解像度検出手段と、
前記解像度に基づいて、前記表示手段に表示させる画像の表示倍率を設定する倍率設定手段と、
前記表示倍率に基づいて、前記画像情報に基づく画像の所定領域を拡大した画像を前記表示手段に表示させる表示制御手段とを備える
ことを特徴とする画像表示システム。
【請求項２】
画像出力装置から出力された画像情報に基づいて画像を表示する画像表示装置であって、
画像を表示する表示手段と、
前記画像出力装置から入力した前記画像情報の解像度を検出する解像度検出手段と、
前記解像度に基づいて、前記表示手段に表示させる画像の表示倍率を設定する倍率設定手段と、
前記表示倍率に基づいて、前記画像情報に基づく画像の所定領域を拡大した画像を前記表示手段に表示させる表示制御手段とを備える
ことを特徴とする画像表示装置。
【請求項３】
請求項２に記載の画像表示装置において、
前記所定領域の位置に関する位置情報の入力を受け付ける入力受付手段を備え、
前記表示制御手段は、
前記画像情報に基づく画像において、前記位置情報に基づく位置の前記所定領域を拡大した画像を前記表示手段に表示させる
ことを特徴とする画像表示装置。
【請求項４】
請求項２または請求項３に記載の画像表示装置において、
前記入力受付手段は、
前記表示倍率に関する倍率情報の入力を受け付け、
当該画像表示装置は、
前記倍率設定手段にて設定された前記表示倍率を、前記倍率情報に基づく表示倍率に変更する倍率変更手段を備え、
前記表示制御手段は、
前記倍率変更手段にて変更された表示倍率に基づいて、前記画像情報に基づく画像の所定領域を拡大した画像を前記表示手段に表示させる
ことを特徴とする画像表示装置。
【請求項５】
画像情報を出力する画像出力装置と、前記画像出力装置から出力された前記画像情報に基づいて画像を表示する画像表示装置と備えた画像表示システムであって、
前記画像出力装置は、
前記画像表示装置の解像度を検出する解像度検出手段と、
前記解像度に基づいて、前記画像表示装置に表示させる画像の表示倍率を設定する倍率設定手段と、
前記表示倍率に基づいて、拡大画像を前記画像表示装置に表示させるための拡大表示用の画像情報を生成する第１制御手段と、
前記拡大表示用の画像情報を前記画像表示装置に出力する第２制御手段とを備える
ことを特徴とする画像表示システム。
【請求項６】
画像情報に基づいて画像を表示する画像表示装置へ、当該画像情報を出力する画像出力装置であって、
前記画像表示装置の解像度を検出する解像度検出手段と、
前記解像度に基づいて、前記画像表示装置に表示させる画像の表示倍率を設定する倍率設定手段と、
前記表示倍率に基づいて、拡大画像を前記画像表示装置に表示させるための拡大表示用の画像情報を生成する第１制御手段と、
前記拡大表示用の画像情報を前記画像表示装置に出力する第２制御手段とを備える
ことを特徴とする画像出力装置。
【請求項７】
画像情報を出力する画像出力装置と、前記画像出力装置から出力された前記画像情報に基づいて画像を表示する画像表示装置とを備えた画像表示システムを利用した画像表示方法であって、
前記画像表示装置が、前記画像出力装置から入力した前記画像情報の解像度を検出する解像度検出ステップと、
前記画像表示装置が、前記解像度に基づいて、表示手段に表示させる画像の表示倍率を設定する倍率設定ステップと、
前記画像表示装置が、前記表示倍率に基づいて、前記画像情報に基づく画像の所定領域を拡大した画像を前記表示手段に表示させる表示制御ステップと、
を含むことを特徴とする画像表示方法。
【請求項８】
画像情報を出力する画像出力装置と、前記画像出力装置から出力された前記画像情報に基づいて画像を表示する画像表示装置とを備えた画像表示システムを利用した画像表示方法であって、
前記画像出力装置が、前記画像表示装置の解像度を検出する解像度検出ステップと、
前記画像出力装置が、前記解像度に基づいて、前記画像表示装置に表示させる画像の表示倍率を設定する倍率設定ステップと、
前記画像出力装置が、前記表示倍率に基づいて、拡大画像を前記画像表示装置に表示させるための拡大表示用の画像情報を生成する第１制御ステップと、
前記画像出力装置が、前記拡大表示用の画像情報を前記画像表示装置に出力する第２制御ステップと、
を含むことを特徴とする画像表示方法。
【発明の詳細な説明】
【技術分野】
【０００１】
本発明は、画像表示システム、画像表示装置、画像出力装置、及び画像表示方法に関する。
【背景技術】
【０００２】
従来、プロジェクター等の画像表示装置と、ＰＣ(Personal Computer)等の画像出力装置とを接続し、ＰＣからプロジェクターに画像情報(ＰＣで生成された映像を表す情報)を出力し、プロジェクターに当該映像を表示させる構成が知られている（例えば、特許文献１参照）。
特許文献１に記載のプロジェクターでは、ＰＣで生成された映像を、当該プロジェクターに搭載された液晶表示パネルの解像度に合うように映像信号の調整を行うことで、液晶表示パネルの画面一杯にその映像全体を表示している。
【先行技術文献】
【特許文献】
【０００３】
【特許文献１】特開２００７−５８２３４号公報
【発明の概要】
【発明が解決しようとする課題】
【０００４】
近年では高精細のＰＣが普及しているため、当該高精細のＰＣから出力された映像をプロジェクターで全画面表示すると、文字が細かく見づらい表示となることがあった。
このような場合、利用者がＰＣ側の表示倍率を操作して拡大したり、ＰＣ側の解像度を落として見やすい大きさにしたりする等の調整をその都度行わなければならなかった。
特許文献１のように、デバイスの解像度に合わせて映像の解像度を変更したとしても、高解像度のＰＣから入力された画像データを低解像度のプロジェクターで表示させる場合は、画像データが縮小されて表示されてしまい、文字等が見づらい表示となって閲覧性が損なわれていた。
【０００５】
本発明の目的は、画像出力装置と画像表示装置の解像度が異なる場合でも画像の閲覧性に優れた画像表示システム、画像表示装置、画像出力装置、及び画像表示方法を提供することにある。
【課題を解決するための手段】
【０００６】
本発明の画像表示システムは、画像情報を出力する画像出力装置と、前記画像出力装置から出力された前記画像情報に基づいて画像を表示する画像表示装置とを備えた画像表示システムであって、前記画像表示装置は、画像を表示する表示手段と、前記画像出力装置から入力した前記画像情報の解像度を検出する解像度検出手段と、前記解像度に基づいて、前記表示手段に表示させる画像の表示倍率を設定する倍率設定手段と、前記表示倍率に基づいて、前記画像情報に基づく画像の所定領域を拡大した画像を前記表示手段に表示させる表示制御手段とを備えることを特徴とする。
【０００７】
なお、以下では、説明の便宜上、画像出力装置から出力された画像情報に基づく画像を全体画像として記載する。
本発明では、画像表示装置は、上述した表示手段、解像度検出手段、倍率設定手段、及び表示制御手段を備えるので、画像出力装置から画像情報が出力されると、以下に示す画像を表示手段に表示することとなる。
すなわち、倍率設定手段は、解像度検出手段にて検出された画像情報の解像度が画像表示装置（表示手段）の解像度よりも高い場合には、１倍より大きい表示倍率に設定する。
例えば、倍率設定手段は、解像度検出手段にて検出された画像情報の解像度が１６００×１２００画素（ＵＸＧＡ）であり、画像表示装置の解像度が１０２４×７６８画素（ＸＧＡ）であった場合には、略１．５倍（ＸＧＡの垂直解像度に対するＵＸＧＡの垂直解像度の比率）の表示倍率に設定する。
そして、表示制御手段は、設定された表示倍率に基づいて、全体画像中の所定領域を拡大した画像を表示手段に表示させる。
したがって、例えば、高解像度の画像出力装置から出力された画像情報に基づいて、低解像度の画像表示装置が画像を表示する場合であっても、画像表示装置は、見やすい大きさに拡大した画像を表示でき、閲覧性を向上できる。
【０００８】
本発明の画像表示装置は、画像出力装置から出力された画像情報に基づいて画像を表示する画像表示装置であって、画像を表示する表示手段と、前記画像出力装置から入力した前記画像情報の解像度を検出する解像度検出手段と、前記解像度に基づいて、前記表示手段に表示させる画像の表示倍率を設定する倍率設定手段と、前記表示倍率に基づいて、前記画像情報に基づく画像の所定領域を拡大した画像を前記表示手段に表示させる表示制御手段とを備えることを特徴とする。
本発明では、上述した画像表示システムに用いられる画像表示装置であるため、上述した画像表示システムと同様の作用及び効果を享受できる。
【０００９】
本発明の画像表示装置では、前記所定領域の位置に関する位置情報の入力を受け付ける入力受付手段を備え、前記表示制御手段は、前記画像情報に基づく画像において、前記位置情報に基づく位置の前記所定領域を拡大した画像を前記表示手段に表示させることが好ましい。
【００１０】
本発明では、入力受付手段は、例えば、利用者が入力手段（画像表示装置に備えられたリモートコントローラーや操作パネル等）により、全体画像中の所定領域の位置に関する位置情報を入力すると、当該位置情報の入力を受け付ける。
そして、表示制御手段は、全体画像中の前記位置情報に基づく位置の所定領域を拡大した画像を表示手段に表示させる。
このことにより、利用者が適宜、入力手段を操作することにより、全体画像中の拡大表示する領域の位置を移動させることができる。
したがって、見やすい大きさに拡大して画像を表示しながら、拡大表示する領域の位置を適宜、移動することで、全体画像を隅々まで閲覧することができ、利用者の利便性を向上させることができる。
【００１１】
本発明の画像表示装置では、前記入力受付手段は、前記表示倍率に関する倍率情報の入力を受け付け、当該画像表示装置は、前記倍率設定手段にて設定された前記表示倍率を、前記倍率情報に基づく表示倍率に変更する倍率変更手段を備え、前記表示制御手段は、前記倍率変更手段にて変更された表示倍率に基づいて、前記画像情報に基づく画像の所定領域を拡大した画像を前記表示手段に表示させることが好ましい。
【００１２】
本発明では、入力受付手段は、例えば、利用者が入力手段により、拡大表示する際の表示倍率に関する倍率情報を入力すると、当該倍率情報の入力を受け付ける。
また、倍率変更手段は、倍率設定手段にて設定された表示倍率を、倍率情報に基づく表示倍率に変更する。
そして、表示制御手段は、変更された表示倍率に基づいて、全体画像中の所定領域を拡大した画像を表示手段に表示させる。
このことにより、利用者が適宜、入力手段を操作することにより、全体画像中の所定領域を拡大表示する際の表示倍率を変更することができる。
したがって、画像を見やすい大きさに拡大あるいは縮小することができ、利用者の利便性を向上させることができる。
【００１３】
本発明の画像表示システムは、画像情報を出力する画像出力装置と、前記画像出力装置から出力された前記画像情報に基づいて画像を表示する画像表示装置とを備えた画像表示システムであって、前記画像出力装置は、前記画像表示装置の解像度を検出する解像度検出手段と、前記解像度に基づいて、前記画像表示装置に表示させる画像の表示倍率を設定する倍率設定手段と、前記表示倍率に基づいて、拡大画像を前記画像表示装置に表示させるための拡大表示用の画像情報を生成する第１制御手段と、前記拡大表示用の画像情報を前記画像表示装置に出力する第２制御手段とを備えることを特徴とする。
【００１４】
本発明では、画像出力装置は、上述した解像度検出手段、倍率設定手段、第１制御手段、及び第２制御手段を備えるので、以下に示すように、拡大表示用の画像情報を出力して画像表示装置に画像を表示させることができる。
すなわち、倍率設定手段は、解像度検出手段にて検出された画像表示装置の解像度が画像出力装置の解像度（画像出力装置が出力する画像情報の解像度）よりも低い場合には、１倍より大きい表示倍率に設定する。
例えば、倍率設定手段は、画像出力装置の解像度がＵＸＧＡであり、画像表示装置の解像度がＸＧＡであった場合には、上記同様に、略１．５倍の表示倍率に設定する。
そして、第１制御手段は、設定された表示倍率に基づいて、例えば、画像出力装置をＰＣとして構成し、当該ＰＣのディスプレイに表示させた画像を全体画像とした場合に、当該全体画像において、所定領域を設定するとともに、当該所定領域以外の部分をブランキング状態とした拡大表示用の画像情報を生成する。
また、第２制御手段は、当該拡大表示用の画像情報を画像表示装置に出力する。
一方、画像表示装置は、拡大表示用の画像情報を受信すると、当該拡大表示用の画像情報に基づく画像中の所定領域（ブランキング状態でない領域）を把握し、当該所定領域の画像を表示手段の画面一杯に表示する。
したがって、例えば、高解像度の画像出力装置から出力された画像情報に基づいて、低解像度の画像表示装置が画像を表示する場合であっても、画像表示装置は、見やすい大きさに拡大した画像を表示でき、閲覧性を向上できる。
【００１５】
本発明の画像出力装置は、画像情報に基づいて画像を表示する画像表示装置へ、当該画像情報を出力する画像出力装置であって、前記画像表示装置の解像度を検出する解像度検出手段と、前記解像度に基づいて、前記画像表示装置に表示させる画像の表示倍率を設定する倍率設定手段と、前記表示倍率に基づいて、拡大画像を前記画像表示装置に表示させるための拡大表示用の画像情報を生成する第１制御手段と、前記拡大表示用の画像情報を前記画像表示装置に出力する第２制御手段とを備えることを特徴とする。
本発明では、上述した画像表示システムに用いられる画像表示装置であるため、上述した画像表示システムと同様の作用及び効果を享受できる。
【００１６】
本発明の画像表示方法は、画像情報を出力する画像出力装置と、前記画像出力装置から出力された前記画像情報に基づいて画像を表示する画像表示装置とを備えた画像表示システムを利用した画像表示方法であって、前記画像表示装置が、前記画像出力装置から入力した前記画像情報の解像度を検出する解像度検出ステップと、前記画像表示装置が、前記解像度に基づいて、表示手段に表示させる画像の表示倍率を設定する倍率設定ステップと、前記画像表示装置が、前記表示倍率に基づいて、前記画像情報に基づく画像の所定領域を拡大した画像を前記表示手段に表示させる表示制御ステップと、を含むことを特徴とする。
本発明では、上述した画像表示システムを利用した画像表示方法であるため、上述した画像表示システムと同様の作用及び効果を享受できる。
【００１７】
本発明の画像表示方法は、画像情報を出力する画像出力装置と、前記画像出力装置から出力された前記画像情報に基づいて画像を表示する画像表示装置とを備えた画像表示システムを利用した画像表示方法であって、前記画像出力装置が、前記画像表示装置の解像度を検出する解像度検出ステップと、前記画像出力装置が、前記解像度に基づいて、前記画像表示装置に表示させる画像の表示倍率を設定する倍率設定ステップと、前記画像出力装置が、前記表示倍率に基づいて、拡大画像を前記画像表示装置に表示させるための拡大表示用の画像情報を生成する第１制御ステップと、前記画像出力装置が、前記拡大表示用の画像情報を前記画像表示装置に出力する第２制御ステップと、を含むことを特徴とする。
本発明では、上述した画像表示システムを利用した画像表示方法であるため、上述した画像表示システムと同様の作用及び効果を享受できる。
【図面の簡単な説明】
【００１８】
【図１】第１実施形態におけるプロジェクションシステムの構成を示す図。
【図２】第１実施形態におけるプロジェクションシステムの構成を示すブロック図。
【図３】第１実施形態におけるプロジェクションシステムの動作を説明するフローチャート。
【図４】（Ａ）は第１実施形態におけるＰＣのディスプレイに表示された画像を示す概略図、（Ｂ）はスクリーンに表示された画像を示す概略図。
【図５】第２実施形態におけるプロジェクターの構成を示すブロック図。
【図６】第２実施形態におけるプロジェクションシステムの動作を説明するフローチャート。
【発明を実施するための形態】
【００１９】
以下、本発明の第１実施形態を図面に基づいて説明する。
[第１実施形態]
〔プロジェクションシステムの概略構成〕
図１は、第１実施形態におけるプロジェクションシステム１の構成を示す図である。
画像表示システムとしてのプロジェクションシステム１は、図１に示すように、画像信号（画像情報）を出力するＰＣ２と、ＰＣ２から出力される画像信号に基づく画像を投射面であるスクリーンＳｃに投射表示するプロジェクター３と、ＰＣ２及びプロジェクター３を接続し、ＰＣ２から出力される画像信号をプロジェクター３に伝送する画像ケーブル４とを備える。
【００２０】
画像ケーブル４は、画像信号を伝送するために接続されるケーブルであり、アナログＲＧＢ（Red Green Blue）ケーブルで構成されている。また、画像信号は、アナログＲＧＢ信号にて伝送されている。
なお、画像ケーブル４は、アナログＲＧＢケーブルに限らず、例えば、コンポジットケーブルやデジタルＲＧＢケーブル等で構成してもよく、伝送される画像信号に応じて選択すればよい。
また、ＰＣ２とプロジェクター３とを情報の伝送可能に接続できれば、上述した画像ケーブル４に限らず、例えば、有線あるいは無線にてＰＣ２とプロジェクター３とを通信接続するネットワーク等を採用しても構わない。
【００２１】
〔ＰＣの構成〕
画像出力装置としてのＰＣ２は、図２に示すように、ディスプレイ２１と、制御手段２２とで大略構成されている。
また、ＰＣ２は、例えば、ＰＣ２の利用者にて操作されるキーボードやマウス等の入力手段（図示略）を有している。
ディスプレイ２１は、例えば、液晶パネルと、バックライトとで構成されている（図示略）。液晶パネルは、透過型の液晶パネルであり、液晶セルに封入された液晶分子の配列を変化させ、バックライトから出射された光を、透過若しくは遮断することにより、画像を表示する。
【００２２】
制御手段２２は、図２に示すように、ハードディスク等のメインメモリー２２２、及びメインメモリー２２２に記憶されたプログラムを実行するＣＰＵ（Central Processing Unit）２２１の他、インターフェイス２２３と、画像処理手段２２４とを備える。
これら各構成要素２２１〜２２４は、図示しないバスにより接続され、必要な情報が伝送可能に構成されている。
ＣＰＵ２２１は、メインメモリー２２２に記憶されたプログラムを実行することで、ＰＣ２全体を制御する。
【００２３】
メインメモリー２２２は、ＣＰＵ２２１で実行されるプログラムや画像処理手段２２４で用いられるデータ等を記憶する。
例えば、メインメモリー２２２は、画像処理手段２２４で用いられるデータとして、背景画像データ、及び文字や絵柄等のキャラクターデータ等を記憶する。
インターフェイス２２３は、画像ケーブル４を介して、画像処理手段２２４で生成された画像データを、画像信号に変換して画像ケーブル４を介して送信する。
なお、インターフェイス２２３は、ＤＤＣ／ＣＩ（Display Data Channel Command Interface）を利用することにより、情報を伝送可能に構成されている。
【００２４】
画像処理手段２２４は、例えば、ＧＰＵ（Graphics Processor Unit）等で構成され、ＣＰＵ２２１による制御の下、画像処理を実施するものであり、画像生成部２２４Ａと、ビデオメモリー２２４Ｂとを備える（図示略）。
画像生成部２２４Ａは、メインメモリー２２２に記憶された背景画像データ、及びキャラクターデータ等から１画面分に対応するフレーム単位の画像データを生成し、この画像データをビデオメモリー２２４Ｂに記憶させる。なお、ビデオメモリー２２４Ｂは、画像データを一時的に記憶するバッファーである。
そして、ＣＰＵ２２１は、ビデオメモリー２２４Ｂに記憶された画像データをディスプレイ２１に出力させ、ディスプレイ２１に当該画像データに基づく画像を表示させる。
また、ＣＰＵ２２１は、ビデオメモリー２２４Ｂに記憶された画像データを、インターフェイス２２３を介して送信する。
【００２５】
〔プロジェクターの構成〕
画像表示装置としてのプロジェクター３は、図２に示すように、プロジェクター本体３０と、当該プロジェクター本体３０を遠隔操作するリモートコントローラー（以下、リモコン）５とを備える。
リモコン５は、複数のキーを有し、当該キーの入力に応じた操作信号を赤外線信号等により送信する。このようなキーとして、プロジェクター本体３０の電源をオン／オフさせる電源キー（図示省略）、画像をスクロールするためのスクロールキー５１、表示倍率を変更するための倍率キー５２等が配設されている。
なお、赤外線信号によりプロジェクター本体３０を操作するリモコンの構成に限らず、電波等によりプロジェクター本体３０を操作するリモコンとしてもよい。
【００２６】
プロジェクター本体３０は、図２に示すように、画像投射手段３１と、制御手段３２とで大略構成されている。
表示手段としての画像投射手段３１は、制御手段３２から出力される画像データに基づく画像を形成してスクリーンＳｃに投射する。これにより、スクリーンＳｃには、画像データに基づく画像が表示される。
この画像投射手段３１は、図２に示すように、光源装置３１１と、光変調装置３１２と、投射光学装置３１３とを備える。
【００２７】
光源装置３１１は、光を光変調装置３１２に向けて出射するものであり、光源ランプ３１４と、ランプドライバー３１５とを備える。
光源ランプ３１４は、超高圧水銀ランプにて構成されている。なお、超高圧水銀ランプに限らず、メタルハライドランプ、キセノンランプ等の放電型の光源ランプを採用してもよい。さらに、放電型の光源ランプに限らず、発光ダイオード、レーザーダイオード、有機
ＥＬ素子、シリコン発光素子等の各種自己発光素子を採用してもよい。
ランプドライバー３１５は、制御手段３２からの制御信号に基づいて、駆動電圧を印加して光源ランプ３１４を駆動する。
【００２８】
光変調装置３１２は、透過型の液晶パネルであり、制御手段３２からの駆動信号に基づいて、液晶セル（図示略）に封入された液晶分子の配列を変化させ、光源ランプ３１４から出射された光を、透過若しくは遮断することにより画像データに応じて変調する。
投射光学装置３１３は、光変調装置３１２にて変調された光をスクリーンＳｃに向けて投射し、画像を表示する。
【００２９】
制御手段３２は、図２に示すように、ＣＰＵ３２１及びメインメモリー３２２の他、インターフェイス３２３と、解像度検出手段３２４と、画像処理手段３２５と、リモコン受信手段３２６とを備える。これら各構成要素３２１〜３２６は、図示しないバスにより接続され、必要な情報が伝送可能に構成されている。
リモコン受信手段３２６は、リモコン５から発信された利用者の操作内容に応じた赤外線の操作信号を受信し、当該操作信号を入力受付手段３２１Ｂに出力する。
メインメモリー３２２は、ＣＰＵ３２１で実行されるプログラム等を記憶する。
インターフェイス３２３は、ＰＣ２のインターフェイス２２３と同様に、ＤＤＣ／ＣＩを利用することにより、ＰＣ２から送信された画像信号を、画像ケーブル４を介して受信する。
【００３０】
解像度検出手段３２４は、インターフェイス３２３を介して受信した画像信号に基づいて、ＰＣ２（ディスプレイ２１）の解像度を検出する。
この解像度検出手段３２４としては、例えば、周波数カウンター等が例示でき、画像信号に含まれる同期信号（水平同期信号）の周波数から、ＰＣ２の解像度を検出する。
画像処理手段３２５は、例えば、ＧＰＵ等で構成され、ＣＰＵ３２１による制御の下、
画像処理を実施するものであり、図２に示すように、画像生成部３２５Ａと、画像調整部３２５Ｂと、ビデオメモリー３２５Ｃとを備える。
画像生成部３２５Ａは、インターフェイス３２３にて受信した画像信号をサンプリングしてフレーム単位の画像データを生成する。
【００３１】
画像調整部３２５Ｂは、ＣＰＵ３２１による制御の下、画像生成部３２５Ａにて生成された画像データに対して画像処理（拡大縮小処理）を施し、画像処理を施した画像データをビデオメモリー３２５Ｃに記憶させる。なお、ビデオメモリー３２５Ｃは、画像データを一時的に記憶するバッファーである。
ＣＰＵ３２１は、メインメモリー３２２に記憶されたプログラムを実行することで、図２に示すように、倍率設定手段３２１Ａ、入力受付手段３２１Ｂ、倍率変更手段３２１Ｃ、及び表示制御手段３２１Ｄ等として機能する。
【００３２】
倍率設定手段３２１Ａは、解像度検出手段３２４で検出されたＰＣ２の解像度に基づいて、画像調整部３２５Ｂに拡大縮小処理を実施させる際の表示倍率を設定する。
入力受付手段３２１Ｂは、リモコン受信手段３２６から出力される操作信号を取得する。
例えば、入力受付手段３２１Ｂは、利用者にてスクロールキー５１が操作されることで、拡大表示する領域の位置に関する位置情報を取得する。
また、入力受付手段３２１Ｂは、利用者にて倍率キー５２が操作されることで、表示倍率に関する倍率情報を取得する。
【００３３】
倍率変更手段３２１Ｃは、入力受付手段３２１Ｂにて倍率情報を取得した場合に、倍率設定手段３２１Ａにて設定された表示倍率を、倍率情報に基づく表示倍率に変更する。
表示制御手段３２１Ｄは、倍率設定手段３２１Ａにて設定された表示倍率、あるいは、倍率変更手段３２１Ｃにて変更された表示倍率、及び上記位置情報に基づいて、画像調整部３２５Ｂに画像処理を実行させる。また、表示制御手段３２１Ｄは、画像調整部３２５Ｂにて画像処理が施され、ビデオメモリー３２５Ｃに記憶された画像データを画像投射手段３１に出力させ、画像投射手段３１に当該画像データに基づく画像を表示させる。
【００３４】
〔プロジェクションシステムの動作〕
図３は、プロジェクションシステム１の動作を説明するフローチャートである。
図４は、プロジェクションシステム１の動作を説明するための図である。具体的に、図４（Ａ）は、ＰＣ２のディスプレイ２１に表示された画像を示す概略図である。図４（Ｂ）は、スクリーンＳｃに表示された画像を示す概略図である。
次に、プロジェクションシステム１の動作について説明する。
図３においては、左側のフローチャートにおけるステップＳ１，Ｓ２をＰＣ２が実行し、右側のフローチャートにおけるステップＳ３〜Ｓ１１をプロジェクター３が実行するものである。
なお、以下では、説明の便宜上、ＰＣ２の解像度がプロジェクター３（光変調装置３１２）の解像度よりも高い場合について説明する。ＰＣ２の解像度がプロジェクター３の解像度と同一、あるいはプロジェクター３の解像度よりも低い場合については、具体的な説明は省略したが、従来と同様の処理が実施されるものである。
【００３５】
先ず、ＰＣ２の利用者により入力手段が操作されることで、ＣＰＵ２２１は、当該操作に応じた画像データを画像処理手段２２４に生成させ、生成させた画像データに基づく画像を、図４（Ａ）に示すように、ディスプレイ２１に表示させる（ステップＳ１）。
また、ＣＰＵ２２１は、インターフェイス２２３を介して、ディスプレイ２１に表示させた画像（ビデオメモリー２２４Ｂに記憶された画像データ）に関する画像信号を送信する（ステップＳ２）。
【００３６】
ＰＣ２から画像信号が送信されると、プロジェクター３は、インターフェイス３２３を介して、当該画像信号を受信する（ステップＳ３）。
また、解像度検出手段３２４は、受信した画像信号に基づいて、ＰＣ２の解像度を検出する（ステップＳ４：解像度検出ステップ）。
ステップＳ４の後、倍率設定手段３２１Ａは、解像度検出手段３２４で検出されたＰＣ２の解像度に基づいて、画像調整部３２５Ｂに画像処理（拡大処理）を実施させる際の表示倍率を設定する（ステップＳ５：倍率設定ステップ）。
例えば、ＰＣ２の解像度がＵＸＧＡ、自身のプロジェクター３の解像度がＸＧＡである場合には、倍率設定手段３２１Ａは、略１．５倍（ＸＧＡの垂直解像度に対するＵＸＧＡの垂直解像度の比率）の表示倍率に設定する。この表示倍率は、プロジェクター３が表示することができる画像の解像度に対応する、ＰＣ２の解像度を表している。一般にプロジェクターでは、入力された画像の解像度とプロジェクターが表示することのできる解像度とが異なっている場合、入力された画像に対して解像度変換を行い、プロジェクターが表示することのできる解像度の画像へ変換する。この際、入力された画像の解像度の方がプロジェクターで表示することができる解像度よりも高い場合、この画像に対して解像度変換を行うと、画像の解像度が低下することとなる。
【００３７】
ステップＳ５の後、表示制御手段３２１Ｄは、倍率設定手段３２１Ａにて設定された表示倍率に基づいて、画像調整部３２５Ｂに拡大処理を実施させる（ステップＳ６：表示制御ステップ）
具体的に、表示制御手段３２１Ｄは、画像調整部３２５Ｂに拡大処理を実施させることで以下に示す画像データを生成させ、当該画像データをビデオメモリー３２５Ｃに記憶させる。
なお、以下では（第１実施形態では）、ＰＣ２から送信された画像信号に基づき画像生成部３２５Ａにて生成されたフレーム単位の画像データに基づく画像（ディスプレイ２１に表示された画像）を全体画像として記載する。
表示制御手段３２１Ｄは、倍率設定手段３２１Ａにて設定された表示倍率に基づいて、全体画像中の所定領域を抽出させ、当該所定領域を表示倍率で拡大させた画像データを画像調整部３２５Ｂに生成させる。
【００３８】
通常（スクロールキー５１が操作されていない場合）、前記所定領域は、全体画像の左上角部分を含む矩形状の領域である。また、前記所定領域の垂直長さ及び水平長さは、全体画像の垂直長さ及び水平長さに対して１／表示倍率にそれぞれ設定される。
例えば、表示倍率が１．５倍に設定された場合には、表示制御手段３２１Ｄは、全体画像中の左上角部分を含み、全体画像の垂直長さ及び水平長さに対してそれぞれ２／３の垂直長さ及び水平長さを有する所定領域を抽出させ、当該所定領域を１．５倍に拡大させた画像データを画像調整部３２５Ｂに生成させる。
【００３９】
そして、表示制御手段３２１Ｄは、ビデオメモリー３２５Ｃに記憶された画像データを画像投射手段３１に出力させる。これにより、画像投射手段３１は、スクリーンＳｃに、図４（Ｂ）に示す画像を表示する（ステップＳ７：表示制御ステップ）。
以上のようなステップＳ１〜Ｓ７により、ディスプレイ２１に表示された画像は、スクリーンＳｃに見やすい大きさで表示されることとなる。
【００４０】
続けて、スクリーンＳｃに表示された画像に対してリモコン５の操作がなされた場合の動作について説明する。
スクリーンＳｃに上述したように所定領域の画像が拡大表示されている場合には、ディスプレイ２１に表示されている全体画像の一部しか閲覧できない。そして、前記所定領域以外の領域を閲覧する場合には、利用者は、リモコン５のスクロールキー５１を操作することとなる。
利用者によりスクロールキー５１が操作され、入力受付手段３２１Ｂにて位置情報が取得された場合（ステップＳ８）には、表示制御手段３２１Ｄは、前記所定領域の位置を位置情報に基づく位置に変更し（ステップＳ９）、ステップＳ６において、位置情報に基づく位置の所定領域を全体画像から抽出させ、当該所定領域を拡大させた画像データを画像調整部３２５Ｂに生成させる。
【００４１】
また、スクリーンＳｃに表示された画像の表示倍率を変更したい場合には、利用者は、リモコン５の倍率キー５２を操作することとなる。
利用者により倍率キー５２が操作され、入力受付手段３２１Ｂにて倍率情報が取得された場合（ステップＳ１０）には、倍率変更手段３２１Ｃは、ステップＳ５にて設定された表示倍率を、倍率情報に基づく表示倍率に変更する（ステップＳ１１）。
そして、表示制御手段３２１Ｄは、ステップＳ１１にて変更された表示倍率に基づいて、ステップＳ６の処理を実行する。
【００４２】
上述した第１実施形態によれば、以下の効果がある。
本実施形態では、プロジェクター３は、画像投射手段３１、解像度検出手段３２４、倍率設定手段３２１Ａ、及び表示制御手段３２１Ｄを備え、ＰＣ２の解像度に応じた表示倍率に基づいて、全体画像中の所定領域を拡大した画像を表示する。
このことにより、高解像度のＰＣ２から送信された画像信号に基づいて、低解像度のプロジェクター３が画像を表示する場合であっても、プロジェクター３は、見やすい大きさに拡大した画像を表示でき、閲覧性を向上できる。
【００４３】
また、プロジェクター３は、利用者によるスクロールキー５１の操作に応じて、画像投射手段３１にて表示する画像の位置に関する位置情報を取得する入力受付手段３２１Ｂを備える。そして、表示制御手段３２１Ｄは、全体画像中の位置情報に基づく位置の所定領域を拡大した画像を画像投射手段３１に表示させる。
このことにより、利用者が適宜、スクロールキー５１を操作することにより、全体画像中の拡大表示する領域の位置を移動させることができる。
したがって、見やすい大きさに拡大して画像を表示しながら、拡大表示する領域の位置を適宜、移動することで、全体画像を隅々まで閲覧することができ、利用者の利便性を向上させることができる。
【００４４】
さらに、入力受付手段３２１Ｂは、利用者による倍率キー５２の操作に応じて、表示倍率に関する倍率情報を取得する。また、プロジェクター３は、倍率設定手段３２１Ａにて設定された表示倍率を、倍率情報に基づく表示倍率に変更する倍率変更手段３２１Ｃを備える。そして、表示制御手段３２１Ｄは、変更された表示倍率に基づいて、全体画像中の所定領域を拡大した画像を画像投射手段３１に表示させる。
このことにより、利用者が適宜、倍率キー５２を操作することにより、全体画像中の所定領域を拡大表示する際の表示倍率を変更することができる。
したがって、画像を見やすい大きさに拡大あるいは縮小することができ、利用者の利便性を向上させることができる。
【００４５】
[第２実施形態]
次に、本発明の第２実施形態を図面に基づいて説明する。
以下の説明では、前記第１実施形態と同様の構成には同一符号を付して、その詳細な説明は省略または簡略化する。
前記第１実施形態では、プロジェクションシステム１において、プロジェクター３が主体となって、ＰＣ２の解像度に基づいて、見やすい大きさに拡大した画像をスクリーンＳｃに表示していた。
これに対して、本実施形態では、プロジェクションシステム１において、ＰＣ２は、プロジェクター３の解像度を検出し、当該解像度に基づいて、見やすい大きさに拡大してプロジェクター３に表示させるための拡大表示用の画像信号を送信する。そして、プロジェクター３は、拡大表示用の画像信号に基づいて、見やすい大きさに拡大した画像をスクリーンＳｃに表示する。
【００４６】
図５は、第２実施形態におけるプロジェクションシステム１の構成を示す図である。
具体的に、第２実施形態におけるＰＣ２の画像処理手段２２４は、図５に示すように、前記第１実施形態で説明した画像生成部２２４Ａの他、第１ビデオメモリー２２４Ｃ、画像調整部２２４Ｄ、及び第２ビデオメモリー２２４Ｅを備える。
第１ビデオメモリー２２４Ｃは、ディスプレイ２１に表示させる画像データが記憶される部分であり、画像生成部２２４Ａにて生成されたフレーム単位の画像データが記憶される。なお、第１ビデオメモリー２２４Ｃは、画像データを一時的に記憶するバッファーである。
そして、ＣＰＵ２２１は、第１ビデオメモリー２２４Ｃに記憶された画像データをディスプレイ２１に出力させ、ディスプレイ２１に当該画像データに基づく画像を表示させる。
【００４７】
画像調整部２２４Ｄは、ＣＰＵ２２１による制御の下、第１ビデオメモリー２２４Ｃに記憶された画像データに対して画像処理を施し、プロジェクター３に送信する拡大表示用の画像データを生成する。そして、画像調整部２２４Ｄは、当該拡大表示用の画像データを第２ビデオメモリー２２４Ｅに記憶させる。なお、第２ビデオメモリー２２４Ｅは、画像データを一時的に記憶するバッファーである。
【００４８】
また、第２実施形態におけるＰＣ２のＣＰＵ２２１には、前記第１実施形態で説明したプロジェクター３の機能の一部が設けられている。
具体的に、ＣＰＵ２２１は、解像度検出手段２２１Ａと、倍率設定手段２２１Ｂと、第１制御手段２２１Ｃと、第２制御手段２２１Ｄとを備える。
ここで、プロジェクター３のメインメモリー３２２には、前記第１実施形態で説明したプログラムやデータの他、光変調装置３１２のＥＤＩＤ(Extended Display Identification Data)が記憶されている。
なお、ＥＤＩＤは、対応する周波数、解像度の他、製造メーカー名や型式等、ディスプレイ特有の特性に関するデータである。
そして、解像度検出手段２２１Ａは、インターフェイス２２３を介し、画像ケーブル４のＤＤＣラインを用いてメインメモリー３２２に記憶されたＥＤＩＤを取得し、当該ＥＤＩＤにより、プロジェクター３の解像度を検出する。
【００４９】
倍率設定手段２２１Ｂは、解像度検出手段２２１Ａで検出されたプロジェクター３の解像度に基づいて、画像調整部２２４Ｄにて拡大表示用の画像データを生成する際に用いられる表示倍率を設定する。
なお、倍率設定手段２２１Ｂは、前記第１実施形態で説明した倍率設定手段３２１Ａと同様に、プロジェクター３の垂直解像度に対する自身のＰＣ２の垂直解像度の比率を表示倍率として設定するものである。
【００５０】
第１制御手段２２１Ｃは、倍率設定手段２２１Ｂにて設定された表示倍率に基づいて、画像調整部２２４Ｄに画像処理を実行させる。
第２制御手段２２１Ｄは、画像調整部２２４Ｄにて画像処理が施され、第２ビデオメモリー２２４Ｅに記憶された拡大表示用の画像データを、インターフェイス２２３を介して送信する。
なお、プロジェクター３においては、図５に示すように、ＣＰＵ２２１における倍率設定手段３２１Ａ、入力受付手段３２１Ｂ、倍率変更手段３２１Ｃ、及び表示制御手段３２１Ｄ等の機能、解像度検出手段３２４等が省略されている。
【００５１】
次に、第２実施形態のプロジェクションシステム１の動作について説明する。
図６は、第２実施形態におけるプロジェクションシステム１の動作を説明するフローチャートである。
図６においては、左側のフローチャートにおけるステップＳ２１〜Ｓ２５をＰＣ２が実行し、右側のフローチャートにおけるステップＳ２６〜Ｓ２８をプロジェクター３が実行するものである。
なお、以下では、前記第１実施形態と同様に、ＰＣ２の解像度がプロジェクター３の解像度よりも高い場合について説明する。ＰＣ２の解像度がプロジェクター３の解像度と同一、あるいはプロジェクター３の解像度よりも低い場合については、具体的な説明は省略したが、従来と同様の処理が実施されるものである。
【００５２】
先ず、ＰＣ２の利用者により入力手段が操作されることで、ＣＰＵ２２１は、当該操作に応じた画像データを画像処理手段２２４に生成させ、生成させた画像データに基づく画像をディスプレイ２１に表示させる（ステップＳ２１）。
また、解像度検出手段２２１Ａは、インターフェイス２２３を介し、プロジェクター３のメインメモリー３２２に記憶されたＥＤＩＤを取得し、当該ＥＤＩＤにより、プロジェクター３の解像度を検出する（ステップＳ２２：解像度検出ステップ）。
ステップＳ２２の後、倍率設定手段２２１Ｂは、解像度検出手段２２１Ａで検出されたプロジェクター３の解像度に基づいて、画像調整部２２４Ｄにて拡大表示用の画像データを生成する際に用いられる表示倍率を設定する（ステップＳ２３：倍率設定ステップ）。
【００５３】
ステップＳ２３の後、第１制御手段２２１Ｃは、倍率設定手段２２１Ｂにて設定された表示倍率に基づいて、以下に示すように、画像調整部２２４Ｄに拡大表示用の画像データを生成させ、当該拡大表示用の画像データを第２ビデオメモリー２２４Ｅに記憶させる（ステップＳ２４：第１制御ステップ）。
なお、以下では（第２実施形態では）、第１ビデオメモリー２２４Ｃに記憶された画像データに基づく画像（ディスプレイ２１に表示された画像）を全体画像として記載する。
第１制御手段２２１Ｃは、倍率設定手段２２１Ｂにて設定された表示倍率に基づいて、全体画像中の所定領域を特定し、当該所定領域以外の領域をブランキング状態とした画像データ（拡大表示用の画像データ）を画像調整部２２４Ｄに生成させる。
なお、前記所定領域は、全体画像の左上角部分を含む矩形状の領域である。また、前記所定領域の垂直長さ及び水平長さは、全体画像の垂直長さ及び水平長さに対して１／表示倍率にそれぞれ設定される。
ステップＳ２４の後、第２制御手段２２１Ｄは、インターフェイス２２３を介して、第２ビデオメモリー２２４Ｅに記憶された拡大表示用の画像データ（拡大表示用の画像信号）を送信する（ステップＳ２５：第２制御ステップ）。
【００５４】
ＰＣ２から拡大表示用の画像信号が送信されると、プロジェクター３は、インターフェイス３２３を介して、当該画像信号を受信する（ステップＳ２６）。
ステップＳ２６の後、ＣＰＵ３２１は、画像調整部３２５Ｂに画像処理を実施させる（ステップＳ２７）。
第２実施形態における画像調整部３２５Ｂは、画像生成部３２５Ａにて生成された画像データ（拡大表示用の画像データ）に基づいて、全体画像中のブランキング状態でない領域（前記所定領域）を特定する。そして、画像調整部３２５Ｂは、当該領域の画像データをプロジェクター３の解像度に合致するように拡大処理を施し、当該処理を施した画像データをビデオメモリー３２５Ｃに記憶させる。
そして、ＣＰＵ３２１は、ビデオメモリー３２５Ｃに記憶された画像データを画像投射手段３１に出力させる。これにより、画像投射手段３１は、スクリーンＳｃに見やすい大きさで拡大した画像を表示する（ステップＳ２８）。
【００５５】
上述した第２実施形態にようにＰＣ２が主体となって、プロジェクター３の解像度を検出し、当該解像度に基づく拡大表示用の画像信号をプロジェクター３に送信するように構成した場合であっても、前記第１実施形態と同様の効果を享受できる。
【００５６】
なお、本発明は前記実施形態に限定されるものではなく、本発明の目的を達成できる範囲での変形、改良等は本発明に含まれるものである。
前記各実施形態では、倍率設定手段３２１Ａ，２２１Ｂは、プロジェクター３の垂直解像度に対するＰＣ２の垂直解像度の比率を表示倍率として設定していたが、これに限らない。
例えば、前記第１実施形態においては、倍率設定手段３２１Ａは、ＰＣ２の解像度がプロジェクター３の解像度よりも高い場合に、予め設定された表示倍率を一律に設定する構成としても構わない。例えば、プロジェクター３の解像度がＸＧＡである場合に、ＰＣ２の解像度がＵＸＧＡであっても、ＳＸＧＡであっても、表示倍率を一律に略１．５倍に設定するように構成しても構わない。
【００５７】
前記第２実施形態において、ＣＰＵ２２１に前記第１実施形態で説明した入力受付手段３２１Ｂ及び倍率変更手段３２１Ｃの機能を持たせても構わない。すなわち、前記第１実施形態と同様に、利用者によるＰＣ２の入力手段の操作に応じて、ＣＰＵ２２１が拡大表示する領域の位置を変更したり、拡大表示する際の表示倍率を変更したりする構成を採用しても構わない。
【００５８】
前記各実施形態では、本発明に係る画像出力装置としてＰＣ２を採用していたが、これに限らず、画像情報を出力することができれば、その他の機器、例えば、ＤＶＤ(Digital Versatile Disk)プレーヤー等を採用しても構わない。
前記各実施形態では、本発明に係る画像表示装置として、プロジェクター３を採用していたが、これに限らず、画像情報に基づく画像を表示する画像表示装置であれば、その他の機器、例えば、液晶ディスプレイ、プラズマテレビ、有機ＥＬ（Electro Luminescence）等を採用しても構わない。
前記各実施形態では、光変調装置３１２を透過型の液晶パネルで構成していたが、これに限らず、反射型の液晶パネルで構成してもよく、あるいは、マイクロミラーを用いたデバイス等、液晶以外の光変調装置を採用しても構わない。
【符号の説明】
【００５９】
１・・・プロジェクションシステム（画像表示システム）、２・・・ＰＣ（画像出力装置）、３・・・プロジェクター（画像表示装置）、３１・・・画像投射手段（表示手段）、２２１Ａ，３２４・・・解像度検出手段、２２１Ｂ，３２１Ａ・・・倍率設定手段、２２１Ｃ・・・第１制御手段、２２１Ｄ・・・第２制御手段、３２１Ｂ・・・入力受付手段、３２１Ｃ・・・倍率変更手段、３２１Ｄ・・・表示制御手段、Ｓ４，Ｓ２２・・・解像度検出ステップ、Ｓ５，Ｓ２３・・・倍率設定ステップ、Ｓ６，Ｓ７・・・表示制御ステップ、Ｓ２４・・・第１制御ステップ、Ｓ２５・・・第２制御ステップ。
【図１】
2013037318.tif 000003
【図２】
2013037318.tif 000004
【図３】
2013037318.tif 000005
【図４】
2013037318.tif 000006
【図５】
2013037318.tif 000007
【図６】
2013037318.tif 000008